(57)【要約】【構成】操作キー２４を構成する録画キーが押下されると、ＣＰＵ１６は、録画処理を開始するとともに、現在選局中のチャネル，現在の曜日および現在時刻に関する情報をＲＡＭ３２に記憶する。そして、操作キー２４を構成する停止キーが押下されると、ＣＰＵ１６は、録画処理を終了するとともに、現在時刻に関する情報をＲＡＭ３２に記憶し、さらに、ＯＳＤ回路３６を制御してモニタ装置２２に録画予約確認画面をＯＳＤ表示させる。そして、この録画予約確認画面上で、録画予約を設定する旨の操作が成されると、ＣＰＵ１６は、ＲＡＭ３２の記憶内容に基づいて、次週以降も同じ番組を自動的に録画するための録画予約情報を作成し、作成した録画予約情報をフラッシュメモリ３８内の予約リスト４０に記憶する。【効果】簡単な操作で録画予約を設定することができる。【選択図】  図１
2004215136.tif 000002
【特許請求の範囲】
【請求項１】
取り込み開始操作に応答してコンテンツの取り込みを開始し、取り込み終了操作に応答して前記コンテンツの取り込みを終了するコンテンツ取り込み装置において、
前記取り込み開始操作を受け付けた第１時刻を検出する第１時刻検出手段、
前記取り込み終了操作を受け付けた第２時刻を検出する第２時刻検出手段、
前記取り込み終了操作に応答して特定メッセージを出力する出力手段、および
前記特定メッセージに対して特定操作が行われたとき前記第１時刻および前記第２時刻に基づいて予約情報を作成する作成手段を備えることを特徴とする、コンテンツ取り込み装置。
【請求項２】
前記コンテンツの送信チャネルを検出するチャネル検出手段をさらに備え、
前記予約情報は前記チャネル検出手段によって検出された送信チャネルを示すチャネル情報を含む、請求項１記載のコンテンツ取り込み装置。
【請求項３】
前記第１時刻が属する曜日を検出する曜日検出手段をさらに備え、
前記予約情報は前記曜日検出手段によって検出された曜日を示す曜日情報を含む、請求項１または２記載のコンテンツ取り込み装置。
【請求項４】
前記第１時刻に近接する基準時刻を取り込み開始時刻として検出する開始時刻検出手段をさらに備え、
前記予約情報は前記開始時刻検出手段によって検出された取り込み開始時刻を示す開始時刻情報を含む、請求項１ないし３のいずれかに記載のコンテンツ取り込み装置。
【発明の詳細な説明】
【０００１】
【産業上の利用分野】
この発明は、コンテンツ取り込み装置に関し、特にたとえばテレビジョン受信機に適用され、取り込み開始操作に応答してコンテンツの取り込みを開始し、取り込み終了操作に応答してコンテンツの取り込みを終了する、コンテンツ取り込み装置に関する。
【０００２】
【従来技術】
テレビジョン受信機としてディジタル放送番組を受信するための装置の一例が、特許文献１に開示されている。この従来技術は、ユーザが２週連続して視聴した番組については、次回の放送分を自動的に予約しようとするものである。これによって、予約に関する操作性を向上させることができる。
【０００３】
【特許文献１】
特開平１０−２２９５２６号公報
【０００４】
【発明が解決しようとする課題】
しかし、上述の従来技術では、番組の自動予約のためには、放送番組とともに伝送される番組ガイド情報が必要であり、汎用性に欠けるという問題があった。
【０００５】
それゆえに、この発明の主たる目的は、ガイド情報が無くてもコンテンツの取り込みを簡単に予約することができる、コンテンツ取り込み装置を提供することである。
【０００６】
【課題を解決するための手段】
この発明は、取り込み開始操作に応答してコンテンツの取り込みを開始し、取り込み終了操作に応答してコンテンツの取り込みを終了するコンテンツ取り込み装置において、取り込み開始操作を受け付けた第１時刻を検出する第１時刻検出手段、取り込み終了操作を受け付けた第２時刻を検出する第２時刻検出手段、取り込み終了操作に応答して特定メッセージを出力する出力手段、および特定メッセージに対して特定操作が行われたとき第１時刻および第２時刻に基づいて予約情報を作成する作成手段を備えることを特徴とする、コンテンツ取り込み装置である。
【０００７】
【作用】
この発明では、第１時刻検出手段によって検出された第１時刻に取り込み開始操作が行われ、第２時刻検出手段によって検出された第２時刻に取り込み終了操作が行われた後、出力手段によって特定メッセージが出力される。そして、この特定メッセージに対して特定操作が行われると、当該第１時刻にコンテンツの取り込みを開始し当該第２時刻にコンテンツの取り込みを終了するための予約情報が、作成手段によって作成される。
【０００８】
この発明のある実施例では、チャネル検出手段によってコンテンツの送信チャネルが検出される。そして、予約情報には、このチャネル検出手段によって検出された送信チャネルを表すチャネル情報も含まれる。
【０００９】
この発明の他の実施例では、曜日検出手段によって第１時刻の属する曜日が検出される。そして、予約情報には、この曜日検出手段によって検出された曜日を示す曜日情報も含まれる。
【００１０】
この発明のさらに他の実施例では、開始時刻検出手段によって第１時刻に近接する基準時刻が取り込み開始時刻として検出される。そして、予約情報には、この開始時刻検出手段によって検出された取り込み開始時刻を示す開始時刻情報も含まれる。
【００１１】
【発明の効果】
この発明によれば、取り込み終了操作が成された後に出力される特定メッセージに対して特定操作が行われると、第１時刻にコンテンツの取り込みを開始し第２時刻に当該コンテンツの取り込みを終了するための予約情報が作成される。つまり、ガイド情報を必要とする上述した従来技術とは異なり、当該ガイド情報が無くてもコンテンツの取り込みを簡単に予約することができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のハードディスクビデオレコーダ１０は、テレビジョン放送番組を記録（録画）するための装置であり、当該テレビジョン放送番組の電波を受信するための受信アンテナ１２が接続されるアンテナ入力端子Ｔ１を有している。受信アンテナ１２によって受信された電波は、ここで高周波の電気信号に変換され、変換された高周波信号は、アンテナ入力端子Ｔ１を介してハードディスクビデオレコーダ１０内のチューナ回路１４に入力される。
【００１４】
チューナ回路１４は、入力された高周波信号の中から任意のチャネルの周波数成分を抽出する。いずれのチャネルの周波数成分を抽出するか、つまりいずれのチャネルを選局するかは、ＣＰＵ（Ｃｅｎｔｒａｌ  Ｐｒｏｃｅｓｓｉｎｇ  Ｕｎｉｔ）１６から供給される選局指令に基づいて行われる。そして、チューナ回路１４は、選局したチャネルの信号をアナログテレビジョン信号に変換し、変換後のテレビジョン信号を信号処理回路１８に入力する。
【００１５】
信号処理回路１８は、入力されたテレビジョン信号に対し増幅処理やフィルタリング処理などの所定の信号処理を施す。この処理後のテレビジョン信号は、ビデオ出力回路２０に入力され、ここでインピーダンス変換（整合）処理を施された後、ビデオ出力端子Ｔ２を介して外部に出力される。したがって、このビデオ出力端子Ｔ２にテレビジョン受像機などのモニタ装置２２を接続すれば、受信中の番組の視聴が可能となる。
【００１６】
なお、操作キー２４によって別のチャネルを選択する旨のいわゆる選局操作が成されると、ＣＰＵ１６は、当該選局操作に従うチャネルが選局されるようチューナ回路１４に上述の選局指令を供給する。この結果、新たに選局されたチャネルの番組が視聴可能となる。ＣＰＵ１６はまた、現在の選局チャネルの番号を、ＬＣＤ（Ｌｉｑｕｉｄ  Ｃｒｙｓｔａｌ  Ｄｉｓｐｌａｙ）またはＬＥＤ（Ｌｉｇｈｔ  Ｅｍｉｔｔｉｎｇ  Ｄｉｏｄｅ）によって構成されたディスプレイ２６に表示する。
【００１７】
ここで、操作キー２４を構成する図示しない録画キーが押下されると、ＣＰＵ１６は、録画処理に入り、信号処理回路１８に対して録画指令を与える。信号処理回路１８は、この録画指令に応答して、上述した増幅処理などの所定の信号処理を施した後のテレビジョン信号に対し１フィールド単位でＹＵＶフォーマットに従うデータ変換処理を施し、さらに、このデータ変換処理によって生成された画像データ（音声データを含む）に対しＭＰＥＧ−２（Ｍｏｔｉｏｎ  Ｐｉｃｔｕｒｅ  Ｅｘｐｅｒｔ  Ｇｒｏｕｐ  ｐｈａｓｅ  ２）方式に従う圧縮処理（音声データについてはＭＰＥＧ１オーディオ方式またはＭＰＥＧ２オーディオ方式に従う圧縮処理）を施す。この圧縮処理によって生成された圧縮画像データは、ＣＰＵ１６の制御によってハードディスクドライブ２８に転送され、当該ハードディスクドライブ２８内のハードディスク３０に記録される。これと並行して、ＣＰＵ１６は、現在録画処理中である旨を表すメッセージをディスプレイ２６に表示する。
【００１８】
この録画処理の最中に操作キー２４を構成する図示しない停止キーが押下されると、ＣＰＵ１６は、信号処理回路１８およびハードディスクドライブ２８に対して録画停止指令を与えるとともに、ディスプレイ２６へのメッセージの表示を中止する。これによって、一連の録画処理が終了する。そして、ＣＰＵ１６は、この一連の録画処理によって記録された圧縮画像データを１つのＭＰＥＧファイルに纏める。
【００１９】
ところで、この実施例のハードディスクビデオレコーダ１０は、オペレータによって設定された録画予約に基づいて自動的に番組を録画するという予約録画機能を備えており、さらに録画予約の設定を簡単に行うことができる簡単予約機能を備えている。
【００２０】
すなわち、上述の録画キーが押下されると、ＣＰＵ１６は、上述の録画処理に先立って、現在選局されている（録画対象となる）チャネル，現在の曜日および現在時刻（録画開始時刻）に関する情報を、自身に内蔵されたＲＡＭ（Ｒａｎｄｏｍ  Ａｃｃｅｓｓ  Ｍｅｍｏｒｙ）３２に記憶する。なお、現在の曜日および時刻に関する情報は、タイマ回路（ＲＴＣ：Ｒｅａｌ  Ｔｉｍｅ  Ｃｌｏｃｋ）３４から発せられるカレンダ情報に基づいて認識される。そして、ＣＰＵ１６は、上述した要領で録画処理を開始し、停止キーの押下に応答して当該録画処理を終了する。さらに、ＣＰＵ１６は、この録画処理の終了時に、タイマ回路３４からのカレンダ情報に基づいて現在時刻（録画終了時刻）を認識し、認識した時刻をＲＡＭ３２に記憶するとともに、信号処理回路１８に内蔵されたＯＳＤ（Ｏｎ  Ｓｃｒｅｅｎ  Ｄｉｓｐｌａｙ）回路３６を制御して、図２に示す予約設定確認画面をモニタ装置２２にＯＳＤ表示させる。
【００２１】
この予約設定確認画面においては、今回録画されたのと同じ番組を次の週以降も繰り返し録画するかどうかの質問を表すメッセージ５０が表示され、このメッセージ５０の下方に、当該メッセージ５０の補足説明文５２が表示される。さらに、補足説明文５２の下方に、“はい”と記されたボタンを模擬した図形（以下、単にボタンと言う。）５４、および“いいえ”と記されたボタンを模擬した図形（以下、単にボタンと言う。）５６が、横並びで表示される。なお、ボタン５４および５６は、操作キー２４を介して操作可能とされている。
【００２２】
ここで、操作キー２４の操作によって“はい”と記されたボタン５４が（擬似的に）押下されると、ＣＰＵ１６は、上述のＲＡＭ３２に記憶された録画対象チャネル，曜日，録画開始時刻および録画終了時刻のそれぞれに関する情報を、録画予約情報としてフラッシュメモリ３８内の予約リスト４０に記憶する。つまり、録画予約を設定する。そして、この録画予約の設定後、ＣＰＵ１６は、ＯＳＤ回路３６を制御して上述の予約設定確認画面のＯＳＤ表示を終了させる。一方、予約設定確認画面において“いいえ”と記されたボタン５６が押下された場合は、ＣＰＵ１６は、そのまま当該予約設定確認画面のＯＳＤ表示を終了させる。なお、予約設定確認画面のＯＳＤ表示の終了後、モニタ装置２２には、上述した要領で現在受信中の番組が表示される。
【００２３】
図３を参照して、予約リスト４０には、“Ｎｏ．”，“チャネル”，“録画日”，“毎週日”，“録画開始時刻”，“録画終了時刻”および“自動設定の有無”という欄が設けられている。そして、上述のＲＡＭ３２に記憶された各情報は、これらの欄に分けて記憶される。
【００２４】
具体的には、録画対象チャネルに関する情報は、“チャネル”の欄に記憶され、曜日に関する情報は、“毎週日”の欄に記憶される。そして、録画開始時刻および録画終了時刻に関する情報は、それぞれ“録画開始時刻”および“録画終了時刻”の欄に記憶される。ただし、これら“録画開始時刻”および“録画終了時刻”の欄には、５分刻みの時刻に補正された補正時刻を表す情報が記憶される。たとえば、実際の録画開始時刻が“８時３２分”であるときは、“８時３０分”という早めの時刻に補正された補正時刻を表す情報が“録画開始時刻”の欄に記憶される。一方、実際の録画終了時刻がたとえば“９時２７分”であるときには、“９時３０分”という遅めの時刻に補正された補正時刻を表す情報が“録画終了時刻”の欄に記憶される。
【００２５】
さらに、“自動設定の有無”の欄には、予約設定確認画面上のボタン５４の押下に応答して録画予約が設定されたこと、つまり簡単予約機能によって録画予約が設定されたことを表す“１”という値が記憶される。なお、“録画日”の欄は、空白とされる。また、各録画予約の“Ｎｏ．”の欄には、個別の整理番号（１，２，…）が、曜日（または録画日）および録画開始時刻によって表される録画開始日時の早い順に付与される。
【００２６】
録画予約は、予約設定確認画面上のボタン５４の押下に限らず、操作キー２４の操作によって任意に設定することもできる。この場合、録画が行われる曜日を設定することもできるが、録画が行われる日を設定することもできる。設定された日、言わば録画日に関する情報は、図３においてたとえば整理番号“３”に対応して示されるように“録画日”の欄に記憶される。なお、操作キー２４の操作によって任意に設定された録画予約については、“自動設定”の欄に“０”が記憶される。
【００２７】
このようにして設定された録画予約の内容は、モニタ装置２２上で確認することができる。すなわち、操作キー２４によって当該録画予約の内容を確認する旨の操作が成されると、ＣＰＵ１６は、予約リスト４０を参照し、その参照結果から図４に示すような録画予約一覧画面がモニタ装置２２にＯＳＤ表示されるようＯＳＤ回路３６を制御する。
【００２８】
この録画予約一覧画面においては、予約リスト４０内の“チャネル”，“録画日”，“毎週日”，“録画開始時刻”および“録画終了時刻”の各欄の情報が、“Ｎｏ．”の欄の整理番号順に縦１列に表示される。そして、予約リスト４０の“自動設定の有無”の欄に“１”が記憶されている録画予約については、画面の右端部分に“カンタン”という文字が表示される。したがって、オペレータは、この“カンタン”という文字が表示されているか否かによって、それぞれの録画予約が簡単予約機能によって設定されたものであるか否かを認識することができる。
【００２９】
なお、上述したように操作キー２４の操作によって任意の録画予約を設定することができるが、この設定は、図４の録画予約一覧画面上で行われる。すなわち、オペレータは、この録画予約一覧画面を見ながら操作キー２４を操作して録画予約に必要な情報を任意に入力することになる。また、この録画予約一覧画面においては、任意の録画予約を変更したり、取り消したりすることもできる。ただし、これらの操作についての詳しい説明は省略する。
【００３０】
このように１以上の録画予約が設定された場合、ＣＰＵ１６は、当該録画予約に基づいて予約録画を行う。すなわち、タイマ回路３４からのカレンダ情報に基づく現在日時が、予約リスト４０内の整理番号“１”に対応する録画日（または曜日）および録画開始時刻で表される日時に達すると、ＣＰＵ１６は、当該整理番号“１”に対応するチャネルが選局されるようチューナ回路１４に選局指令を供給するとともに、上述した要領で録画処理を開始する。そして、現在時刻が整理番号“１”に対応する録画終了時刻に達すると、録画処理を終了し、その後、予約リスト４０の内容を更新する。具体的には、各録画予約に整理番号を付与し直すとともに、録画処理を終えた録画予約が曜日指定されたものでない場合には当該録画予約を予約リスト４０から削除する。この予約リスト４０の更新後、ＣＰＵ１６は、当該更新後の予約リスト４０に従って次の予約録画を行うべく待機する。
【００３１】
さて、上述の簡単予約機能を実現するために、ＣＰＵ１６は、自身が内蔵するＲＯＭ（Ｒｅａｄ  Ｏｎｌｙ  Ｍｅｍｏｒｙ）４２に記憶された制御プログラムに従って、図５のフロー図で示される各処理を実行する。
【００３２】
すなわち、録画キーが押下されると、ＣＰＵ１６は、まず、ステップＳ１において現在選局されているチャネル，現在の曜日および現在日時に関する情報をＲＡＭ３２に記憶する。そして、ＣＰＵ１６は、ステップＳ３において録画処理を開始した後、ステップＳ５において停止キーが押下されたか否かを判断する。
【００３３】
停止キーが押下されたと判断すると、ＣＰＵ１６は、ステップＳ５からステップＳ７に進み、録画処理を終了するとともに、当該録画処理によって記録された一連の圧縮画像データを１つのＭＰＥＧファイルに纏める。そして、ステップＳ９において現在時刻をＲＡＭ３２に記憶した後、ステップＳ１１でＯＳＤ回路３６を制御して図２の録画予約確認画面をモニタ装置２２にＯＳＤ表示させる。
【００３４】
このステップＳ１１の処理後、ＣＰＵ１６は、ステップＳ１３に進み、録画予約画面上でボタン５４および５６のいずれが押下されたかを判断する。ここで、ボタン５４（“はい”）が押下された場合、ＣＰＵ１６は、ステップＳ１５に進み、ＲＡＭ３２の記憶内容に基づいて録画予約を設定する。すなわち、ＲＡＭ３２に記憶されたチャネル，曜日，録画開始時刻および録画終了時刻に関する情報を、予約リスト４０に記憶する。このとき、上述したように録画開始時刻および録画終了時刻については５分刻みの時刻に補正し、この補正後の時刻を表す情報を予約リスト４０に記憶する。また、予約リスト４０内に別の録画予約が存在する場合には、当該別の録画予約を含め、全ての録画予約に整理番号を付与し直す。
【００３５】
そして、ＣＰＵ１６は、ステップＳ１７においてモニタ装置２２から録画予約確認画面を消去させるようＯＳＤ回路３６を制御し、この図５で示される一連の処理を終了する。一方、録画予約確認画面においてボタン５６（“いいえ”）が押下された場合、ＣＰＵ１６は、ステップＳ１３から直接ステップＳ１７に進み、当該ステップＳ１７の処理後、この図５で示される一連の処理を終了する。
【００３６】
以上の説明から判るように、この実施例のハードディスクビデオレコーダ１０によれば、録画キーの押下によって現在受信中の番組の録画が開始され、停止キーの押下によって当該録画が終了した後、モニタ装置２２に図２の録画予約確認画面が表示される。そして、この録画予約確認画面において“はい”と記されたボタン５４が押下されると、今回録画されたのと同じ番組を次週以降も繰り返し録画するための録画予約が自動的に設定される。したがって、ガイド情報を必要とする上述した従来技術とは異なり、当該ガイド情報が無くても、換言すればディジタル放送以外のたとえば地上波アナログ放送の番組でも、簡単に録画予約を設定することができる。
【００３７】
なお、この実施例では、毎週放送される番組を録画するための録画予約を設定する場合について説明したが、これに限らない。たとえば、オペレータによっては、毎日同じ時間帯に同じチャネルで放送される番組や、月曜日〜土曜日の各日に同じ時間帯に同じチャネルで放送される番組、さらには月曜日〜金曜日の各日に同じ時間帯に同じチャネルで放送される番組を録画したい場合がある。このような要望に対処するべく、上述の図２に代えて、図６に示すような録画予約確認画面をＯＳＤ表示させるようにしてもよい。
【００３８】
すなわち、この図６の録画予約確認画面においては、今回録画されたのと同じ番組を次回以降も繰り返し録画するかどうかの質問を表すメッセージ７０が表示され、このメッセージ７０の下方に、５つのボタン７２〜８０が表示される。このうち、“毎週録画する”と記されたボタン７２が押下された場合、ＣＰＵ１６は、図２におけるボタン５４が押下されたのと同様の処理を行う。そして、“毎日録画する”と記されたボタン７４が押下された場合には、今回と同じ時間帯および同じチャネルで毎日録画処理を行うための録画予約を設定する。さらに、“月曜〜土曜の各日に録画する”と記されたボタン７６が押下された場合には、今回と同じ時間帯および同じチャネルで月曜日〜土曜日の各日に録画処理を行うための録画予約を設定する。同様に、“月曜〜金曜の各日に録画する”と記されたボタン７８が押下された場合には、今回と同じ時間帯および同じチャネルで月曜日〜金曜日の各日に録画処理を行うため録画予約を設定する。なお、“録画しない”と記されたボタン８０が押下された場合は、図２におけるボタン５６が押下されたのと同様の処理を行う。このようにすれば、オペレータの要望に応じたパターンの録画予約を簡単に設定できる。
【００３９】
また、この実施例では、図４の録画予約一覧画面において任意の録画予約を取り消すこととしたが、これに限らない。たとえば、予約リスト４０内において“自動設定の有無”の欄に“１”が記憶された録画予約については、この録画予約に基づく予約録画が終了する度に、当該録画予約に従う予約録画を次週以降も継続するかどうかの質問を表すメッセージをモニタ装置２２にＯＳＤ表示してもよい。そして、このメッセージに対して継続する旨の操作が成された場合には、当該録画予約を予約リスト４０内に残し、そうでない場合には、当該録画予約を予約リスト４０から削除するようにしてもよい。
【００４０】
さらに、予約リスト４０の“録画開始時刻”および“録画終了時刻”の欄には、それぞれ５分刻みの時刻に補正された補正時刻を表す情報が記憶されることとしたが、これに限らない。すなわち、補正の単位を５分以外としてもよいし、実際の録画開始時刻および録画終了時刻を表す情報が“録画開始時刻”および“録画終了時刻”の欄に記憶されるようにしてもよい。
【００４１】
そして、記録媒体としてハードディスクドライブ２８（ハードディスク３０）を用いたが、これに代えて読み書き可能なＤＶＤ（Ｄｉｇｉｔａｌ  Ｖｅｒｓａｔｉｌｅ  Ｄｉｓｃ）やＣＤ−ＲＷ（ＣＤ  ＲｅＷｒｉｔａｂｌｅ）などの他のディスク記録媒体を用いてもよい。また、ディスク記録媒体に代えて、半導体メモリやビデオテープなどの他の記録媒体を用いてもよい。
【００４２】
さらに、画像データの圧縮方式としてＭＰＥＧ−２方式を採用したが、モーションＪＰＥＧ方式などの他の圧縮方式を用いてもよい。
【００４３】
また、ハードディスクビデオレコーダ１０のようにテレビジョン放送番組を録画するための装置に限らず、当該番組を単に（リアルタイムで）視聴するための装置に、この発明を適用してもよい。そして、テレビジョン放送番組に限らず、ラジオ放送番組などの音声のみの番組を聴取し、または記録するための装置にも、この発明を適用できる。
【図面の簡単な説明】
【図１】この発明の一実施例に係るハードディスクビデオレコーダの概略構成を示すブロック図である。
【図２】図１のモニタ装置に表示される録画予約確認画面の一例を示す図解図である。
【図３】図１の実施例における予約リストの内容を概念的に示す図解図である。
【図４】図１のモニタ装置に表示される録画予約一覧画面の一例を示す図解図である。
【図５】図１の実施例における簡単予約機能を実現するためのＣＰＵの動作を示すフロー図である。
【図６】図２とは異なる録画予約確認画面の一例を示す図解図である。
【符号の説明】
１６…ＣＰＵ
１８…信号処理回路
２２…モニタ装置
２４…操作キー
３２…ＲＡＭ
３４…タイマ回路
４０…予約リスト
【図１】
2004215136.tif 000003
【図２】
2004215136.tif 000004
【図３】
2004215136.tif 000005
【図４】
2004215136.tif 000006
【図５】
2004215136.tif 000007
【図６】
2004215136.tif 000008